(57)【要約】【課題】無線リンク障害の報告による不要なデュアルコネクティビティの解消を回避するための技術を提供することである。【解決手段】本発明の一態様は、デュアルコネクティビティによりマスタ基地局とセカンダリ基地局と同時に通信する送受信部と、所定の起動契機の検出に応答して、前記セカンダリ基地局に対するランダムアクセス（ＲＡ）手順を衝突型ＲＡ手順と非衝突型ＲＡ手順との何れかに従って実行するＲＡ処理部と、前記ＲＡ手順が失敗すると、前記ＲＡ手順の種別又は前記検出された起動契機に基づき無線リンク障害（ＲＬＦ）メッセージを生成し、前記生成したＲＬＦメッセージを前記マスタ基地局に通知するＲＬＦ通知部とを有するユーザ装置に関する。【選択図】図８
2015216412.tif 000002
【特許請求の範囲】
【請求項１】
デュアルコネクティビティによりマスタ基地局とセカンダリ基地局と同時に通信する送受信部と、
所定の起動契機の検出に応答して、前記セカンダリ基地局に対するランダムアクセス（ＲＡ）手順を衝突型ＲＡ手順と非衝突型ＲＡ手順との何れかに従って実行するＲＡ処理部と、
前記ＲＡ手順が失敗すると、前記ＲＡ手順の種別又は前記検出された起動契機に基づき無線リンク障害（ＲＬＦ）メッセージを生成し、前記生成したＲＬＦメッセージを前記マスタ基地局に通知するＲＬＦ通知部と、
を有するユーザ装置。
【請求項２】
前記ＲＬＦ通知部は、前記失敗したＲＡ手順が前記衝突型ＲＡ手順と前記非衝突型ＲＡ手順との何れに従って実行されたかを示す失敗種別情報を含む前記ＲＬＦメッセージを生成し、前記生成したＲＬＦメッセージを前記マスタ基地局に通知する、請求項１記載のユーザ装置。
【請求項３】
前記ＲＬＦ通知部は、前記失敗したＲＡ手順の種別が前記衝突型ＲＡ手順である場合に前記ＲＬＦメッセージを生成し、前記生成したＲＬＦメッセージを前記マスタ基地局に通知する、請求項１記載のユーザ装置。
【請求項４】
前記ＲＬＦ通知部は、前記失敗したＲＡ手順が前記セカンダリ基地局からのダウンリンク制御チャネルによる指示に応答して実行されていない場合に前記ＲＬＦメッセージを生成し、前記生成したＲＬＦメッセージを前記マスタ基地局に通知する、請求項１記載のユーザ装置。
【請求項５】
前記ＲＡ処理部は、前記検出された起動契機に応じて前記衝突型ＲＡ手順と前記非衝突型ＲＡ手順との何れかを選択する、請求項１乃至４何れか一項記載のユーザ装置。
【請求項６】
前記ＲＬＦ通知部は、当該ユーザ装置が検出したＲＡリソース及び／又はＲＡプリアンブルインデックスを更に含む前記ＲＬＦメッセージを生成し、前記生成したＲＬＦメッセージを前記マスタ基地局に通知する、請求項１乃至５何れか一項記載のユーザ装置。
【請求項７】
デュアルコネクティビティによりユーザ装置と通信する送受信部と、
前記ユーザ装置から受信した無線リンク障害（ＲＬＦ）メッセージから失敗したランダムアクセス（ＲＡ）手順の種別を示す失敗種別情報を抽出し、前記抽出したＲＡ手順の失敗種別情報に基づきセカンダリセルに対する処理を実行するセル管理部と、
を有する基地局であって、
前記セル管理部は、前記抽出した失敗種別情報が衝突型ＲＡ手順を示す場合、前記セカンダリセルに対する削除処理を実行する基地局。
【請求項８】
デュアルコネクティビティによりマスタ基地局とセカンダリ基地局と同時に通信するユーザ装置による無線リンク障害（ＲＬＦ）を通知する方法であって、
所定の起動契機に応答して、前記セカンダリ基地局に対するランダムアクセス（ＲＡ）手順を衝突型ＲＡ手順又は非衝突型ＲＡ手順の何れかに従って実行するステップと、
前記ＲＡ手順が失敗すると、前記ＲＡ手順の種別又は前記検出された起動契機に基づき無線リンク障害（ＲＬＦ）メッセージを生成するステップと、
前記生成したＲＬＦメッセージを前記マスタ基地局に通知するステップと、
を有する方法。
【発明の詳細な説明】
【技術分野】
【０００１】
本発明は、無線通信システムに関する。
【背景技術】
【０００２】
無線通信システムの高速化及び大容量化を図るため、ＬＴＥ（Ｌｏｎｇ  Ｔｅｒｍ  Ｅｖｏｌｕｔｉｏｎ）システムが利用されている。ＬＴＥシステムでは、基地局（ｅｖｏｌｖｅｄ  Ｎｏｄｅ  Ｂ：ｅＮＢ）とユーザ装置（Ｕｓｅｒ  Ｅｑｕｉｐｍｅｎｔ：ＵＥ）との間の無線リンクにおいてユーザ装置が異常を検出した場合、ユーザ装置は、基地局との無線リンクを再確立するために基地局に対して再接続要求手順を実行することが規定されている。無線品質が劣化する毎に発信手順が実行されることは、当該処理に伴って遅延を生じさせるため望ましくない。このため、発信手順の代わりに再接続要求手順が実行される。再接続手順の起動契機として、例えば、無線リンク障害（Ｒａｄｉｏ  Ｌｉｎｋ  Ｆａｉｌｕｒｅ：ＲＬＦ）、ハンドオーバの失敗、インテグリティの失敗、リコンフィギュレーションの失敗などの検出があげられる。また、無線リンク障害は、ダウンリンク品質の劣化、ＲＡ（Ｒａｎｄｏｍ  Ａｃｃｅｓｓ）プリアンブル最大再送回数の超過、ＲＬＣ（Ｒａｄｉｏ  Ｌｉｎｋ  Ｃｏｎｔｒｏｌ）最大再送回数の超過などに応答して検出される。
【０００３】
ＬＴＥシステムでは、ユーザ装置と基地局との間の再接続手順は、図１に示されるような処理シーケンスにより実行される。すなわち、上述した無線リンク障害の検出などの再接続手順の起動契機を検出すると、ユーザ装置はまずＲＡプリアンブルを基地局に送信する。これに応答して、基地局はＲＡレスポンスを返信する。ＲＡレスポンスを受信すると、ユーザ装置は再接続を要求するため、ＲＲＣ  ｃｏｎｎｅｃｔｉｏｎ  ｒｅ−ｅｓｔａｂｌｉｓｈｍｅｎｔ  ｒｅｑｕｅｓｔを送信する。これに応答して、基地局は、シグナリング無線ベアラ１（Ｓｉｇｎａｌｉｎｇ  Ｒａｄｉｏ  Ｂｅａｒｅｒ  １：ＳＲＢ１）を確立するため、当該ユーザ装置に個別のコンフィギュレーションを通知するためのＲＲＣ  ｃｏｎｎｅｃｔｉｏｎ  ｒｅ−ｅｓｔａｂｌｉｓｈｍｅｎｔを返信する。当該コンフィギュレーションを完了すると、ユーザ装置は、ＲＲＣ  ｃｏｎｎｅｃｔｉｏｎ  ｒｅ−ｅｓｔａｂｌｉｓｈｍｅｎｔ  ｃｏｍｐｌｅｔｅを送信する。これに応答して、基地局は、ＳＲＢ２又はデータ無線ベアラ（Ｄａｔａ  Ｒａｄｉｏ  Ｂｅａｒｅｒ：ＤＲＢ）を確立するため、ＲＲＣ  ｃｏｎｎｅｃｔｉｏｎ  ｒｅｃｏｎｆｉｇｕｒａｔｉｏｎを返信する。当該リコンフィギュレーションを完了すると、ユーザ装置は、ＲＲＣ  ｃｏｎｎｅｃｔｉｏｎ  ｒｅｃｏｎｆｉｇｕｒａｔｉｏｎ  ｃｏｍｐｌｅｔｅを送信する。これらの処理によって、ユーザ装置と基地局との間でＵ−ｐｌａｎｅデータが通信可能になり、再接続処理が完了する。
【０００４】
現在、ＬＴＥシステムの次世代の通信規格として、ＬＴＥ−Ａｄｖａｎｃｅｄの仕様策定が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００５】
キャリアアグリゲーションでは、ユーザ装置は、複数のコンポーネントキャリアを同時に用いて基地局と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００６】
プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。
【０００７】
ＬＴＥ  Ｒｅｌｅａｓｅ  １０（Ｒｅｌ−１０）までのキャリアアグリゲーションでは、図２の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図２の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００８】
マスタ基地局（ＭｅＮＢ）とセカンダリ基地局（ＳｅＮＢ）とによるデュアルコネクティビティがユーザ装置に対して設定されている場合、図３に示されるように、ユーザ装置は、セカンダリ基地局により提供されるセカンダリセルグループで無線リンク障害（ＲＬＦ）を検出すると、上述した再接続手順を起動することなく、無線リンク障害の検出をマスタ基地局に報告することが規定されている。これは、接続性はマスタ基地局との間で担保されているため、再接続手順は不要であると考えられるためである。当該ＲＬＦ報告を受信すると、マスタ基地局は、これをセカンダリ基地局に転送し、報告されたセカンダリセルグループをセカンダリ基地局に削除させるか、あるいはユーザ装置に設定されるセカンダリセルを変更する。その後、マスタ基地局は新たなコンフィギュレーションを通知するため、ユーザ装置にＲＲＣ  ｃｏｎｎｅｃｔｉｏｎ  ｒｅｃｏｎｆｉｇｕｒａｔｉｏｎを送信する。
【０００９】
ＬＴＥシステム及びＬＴＥ−Ａｄｖａｎｃｅｄシステムでは、ユーザ装置と基地局との間のタイミングを同期させるためランダムアクセス（ＲＡ）手順が実行される。ＲＡ手順の起動契機として、イニシャルアクセス、アップリンク／ダウンリンクデータの再開、ハンドオーバ、セカンダリセルにおけるタイミングアライメントなどがあげられる。このＲＡ手順は、衝突型ＲＡ（Ｃｏｎｔｅｎｔｉｏｎ  ｂａｓｅｄ  ＲＡ：ＣＢＲＡ）手順と非衝突型ＲＡ（Ｎｏｎ−ｃｏｎｔｅｎｔｉｏｎ  ｂａｓｅｄ  ＲＡ／Ｃｏｎｔｅｎｔｉｏｎ  Ｆｒｅｅ  ＲＡ：ＣＦＲＡ）との２つのタイプにより実行可能である。
【００１０】
衝突型ＲＡ手順は、イニシャルアクセスやアップリンクデータの再開などのために実行され、ユーザ装置によって自律的に起動される。また、衝突型ＲＡ手順は、専用プリアンブルが不足した際にネットワーク主導により起動されることもある。
【００１１】
図４に示されるように、典型的な衝突型ＲＡ手順では、ユーザ装置は、接続要求を通知し、送信タイミングを推定するため、メッセージ１としてＲＡＣＨ（Ｒａｎｄｏｍ  Ａｃｃｅｓｓ  Ｃｈａｎｎｅｌ）プリアンブルを基地局に送信する。メッセージ１では、ユーザ装置により選択されたＲＡプリアンブルがＰＲＡＣＨ（Ｐｈｙｓｉｃａｌ  ＲＡＣＨ）により送信される。その後、ＲＡＣＨレスポンスが受信できない場合、ユーザ装置は、より高い送信電力によりＲＡＣＨプリアンブルを再送する（パワーランピング）。これに応答して、基地局は、検出したプリアンブルインデックス、ユーザ装置を識別するための一時的なＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、送信タイミング情報（ＴＡ  ｃｏｍｍａｎｄ）、アップリンクスケジューリンググラントなどを含むＲＡＣＨレスポンスをメッセージ２として返信する。ＲＡＣＨレスポンスを受信すると、ユーザ装置は、制御メッセージをメッセージ３として基地局に送信する。これに応答して、基地局は、メッセージ４としてＲＲＣ  ｃｏｎｎｅｃｔｉｏｎ  ｓｅｔｕｐ又はＲＲＣ  ｃｏｎｎｅｃｔｉｏｎ  ｒｅ−ｅｓｔａｂｌｉｓｈｍｅｎｔを返信し、ユーザ装置と基地局との間でデータを通信するための共有チャネルが確立される。
【００１２】
一方、非衝突型ＲＡ手順は、ダウンリンクデータの再開やハンドオーバなどのために実行され、ネットワークにより起動される。非衝突型ＲＡ手順は、ネットワークにより指定された専用プリアンブルにより起動される。
【００１３】
図５に示されるように、典型的な非衝突型ＲＡ手順では、基地局は、ユーザ装置が使用するプリアンブル番号を通知するため、メッセージ０としてプリアンブルアサイメントをユーザ装置に送信する。これに応答して、ユーザ装置は、メッセージ１としてＲＡＣＨプリアンブルを基地局に送信する。メッセージ１では、ユーザ装置により選択されたＲＡプリアンブルがＰＲＡＣＨにより送信される。その後、ＲＡＣＨレスポンスが受信できない場合、ユーザ装置は、より高い送信電力によりＲＡＣＨプリアンブルを再送する（パワーランピング）。これに応答して、基地局は、検出したプリアンブルインデックス、ユーザ装置を識別するための一時的なＣ−ＲＮＴＩ、送信タイミング情報、アップリンクスケジューリンググラントなどを含むＲＡＣＨレスポンスをメッセージ２として返信する。これにより、ユーザ装置と基地局との間でデータを通信するための共有チャネルが確立される。
【先行技術文献】
【非特許文献】
【００１４】
【非特許文献１】３ＧＰＰ  ＴＳ３６．３３１  Ｖ１２．１．０（２０１４−０３）
【発明の概要】
【発明が解決しようとする課題】
【００１５】
図６に示されるように、セカンダリ基地局との間でＲＡ手順が失敗すると、ユーザ装置は、無線リンク障害が発生したと判断し、当該無線リンク障害をマスタ基地局に報告する。例えば、ユーザ装置がセカンダリ基地局からのＰＤＣＣＨ（Ｐｈｙｓｉｃａｌ  Ｄｏｗｎｌｉｎｋ  Ｃｏｎｔｒｏｌ  Ｃｈａｎｎｅｌ）による指示を誤検出し、これに応答してＲＡプリアンブルを送信した場合、セカンダリ基地局は、ユーザ装置からＲＡプリアンブルが送信されることを想定していないため、ＲＡプリアンブルを受信しない。この結果、セカンダリ基地局はＲＡレスポンスをユーザ装置に送信せず、ユーザ装置はＲＡプリアンブルを再送し続ける。この場合、所定のＲＡプリアンブル再送回数を超過すると、ユーザ装置は、無線品質は劣化していないにもかかわらず無線リンク障害が発生したと判断し、当該無線リンク障害をマスタ基地局に報告することになる。当該無線リンク障害報告を受信すると、マスタ基地局及びセカンダリ基地局は、報告された無線リンク障害に関連するセカンダリセルグループを削除することになる。
【００１６】
このように、ユーザ装置による誤検出を含むＲＡ手順が失敗した全てのケースに対して無線リンク障害が報告された場合、基地局は、当該無線リンク障害が無線品質の劣化に起因するのか、又はユーザ装置による誤検出に起因するか判断することができず、無線品質は劣化していないにもかかわらずデュアルコネクティビティを不要に解除する可能性がある。この結果、スループット向上の効果が限定的なものになる可能性がある。
【００１７】
上述した問題点に鑑み、本発明の課題は、無線リンク障害の報告による不要なデュアルコネクティビティの解消を回避するための技術を提供することである。
【課題を解決するための手段】
【００１８】
上記課題を解決するため、本発明の一態様は、デュアルコネクティビティによりマスタ基地局とセカンダリ基地局と同時に通信する送受信部と、所定の起動契機の検出に応答して、前記セカンダリ基地局に対するランダムアクセス（ＲＡ）手順を衝突型ＲＡ手順と非衝突型ＲＡ手順との何れかに従って実行するＲＡ処理部と、前記ＲＡ手順が失敗すると、前記ＲＡ手順の種別又は前記検出された起動契機に基づき無線リンク障害（ＲＬＦ）メッセージを生成し、前記生成したＲＬＦメッセージを前記マスタ基地局に通知するＲＬＦ通知部とを有するユーザ装置に関する。
【発明の効果】
【００１９】
本発明によると、無線リンク障害の報告による不要なデュアルコネクティビティの解消を回避することができる。
【図面の簡単な説明】
【００２０】
【図１】図１は、ＬＴＥシステムにおけるＲＲＣ再接続手順を示すシーケンス図である。
【図２】図２は、キャリアアグリゲーションを示す概略図である。
【図３】図３は、Ｄｕａｌ  Ｃｏｎｎｅｃｔｉｖｉｔｙにおける無線リンク障害制御を示す概略図である。
【図４】図４は、衝突型ＲＡ手順を示すシーケンス図である。
【図５】図５は、非衝突型ＲＡ手順を示すシーケンス図である。
【図６】図６は、誤検出による無線リンク障害の報告処理を示す概略図である。
【図７】図７は、本発明の一実施例による無線通信システムを示す概略図である。
【図８】図８は、本発明の一実施例によるユーザ装置の構成を示すブロック図である。
【図９】図９は、本発明の一実施例による基地局の構成を示すブロック図である。
【図１０】図１０は、本発明の一実施例によるユーザ装置と基地局との間の無線リンク障害の報告処理を示すシーケンス図である。
【図１１】図１１は、本発明の他の実施例によるユーザ装置と基地局との間の無線リンク障害の報告処理を示すシーケンス図である。
【図１２】図１２は、本発明の一実施例による無線リンク障害報告処理を示すフロー図である。
【図１３】図１３は、本発明の他の実施例による無線リンク障害報告処理を示すフロー図である。
【図１４】図１４は、本発明の他の実施例による無線リンク障害報告処理を示すフロー図である。
【発明を実施するための形態】
【００２１】
以下、図面に基づいて本発明の実施の形態を説明する。
【００２２】
複数の基地局と同時通信するデュアルコネクティビティ機能を有するユーザ装置が開示される。後述される実施例を概略すると、ランダムアクセス（ＲＡ）手順を起動する所定の起動契機に応答して、ユーザ装置は、セカンダリ基地局に対するＲＡ手順を衝突型ＲＡ手順又は非衝突型ＲＡ手順の何れかに従って実行する。ＲＡ手順が失敗すると、ユーザ装置は、当該ＲＡ手順の種別又は検出された起動契機に基づき無線リンク障害（ＲＬＦ）を通知するＲＬＦメッセージを生成し、生成したＲＬＦメッセージをマスタ基地局に通知する。
【００２３】
一実施例では、ＲＡ手順が失敗すると、ユーザ装置は、当該ＲＡ手順の種別を示す失敗種別情報を含む無線リンク障害をマスタ基地局及びセカンダリ基地局に通知する。ユーザ装置から受信したＲＬＦメッセージの失敗種別情報が衝突型ＲＡ手順を示す場合、マスタ基地局及びセカンダリ基地局はセカンダリセルの削除処理を実行する一方、失敗種別情報が非衝突型ＲＡ手順を示す場合、マスタ基地局及びセカンダリ基地局は、当該無線リンク障害がユーザ装置による誤検出に起因して通知された可能性があると判断し、セカンダリセルの削除処理を保留する。
【００２４】
他の実施例では、衝突型ＲＡ手順によるＲＡ手順が失敗した場合には、ユーザ装置は、当該無線リンク障害をマスタ基地局及びセカンダリ基地局に通知する一方、非衝突型ＲＡ手順によるＲＡ手順が失敗した場合には、ユーザ装置は、無線リンク障害をマスタ基地局及びセカンダリ基地局に通知せず保留してもよい。この場合、ユーザ装置からＲＬＦメッセージを受信すると、マスタ基地局及びセカンダリ基地局は、当該ＲＡ手順が衝突型ＲＡ手順により実行されたものであり、当該無線リンク障害がユーザ装置による誤検出に起因して通知された可能性は低いと判断でき、セカンダリセルの削除処理を実行する。
【００２５】
更なる他の実施例では、検出された起動契機がセカンダリ基地局からのダウンリンク制御チャネルによる起動指示である場合、ＲＡ手順が失敗しても、ユーザ装置は、無線リンク障害をマスタ基地局及びセカンダリ基地局に通知せず保留してもよい。他方、検出された起動契機がセカンダリ基地局からのダウンリンク制御チャネルによる起動指示でない場合、ＲＡ手順が失敗すると、ユーザ装置は、無線リンク障害をマスタ基地局及びセカンダリ基地局に通知する。この場合、ユーザ装置からＲＬＦメッセージを受信すると、マスタ基地局及びセカンダリ基地局は、当該無線リンク障害がユーザ装置による誤検出に起因して通知された可能性は低いと判断し、セカンダリセルの削除処理を実行する。
【００２６】
これにより、無線品質の劣化などの所定のＲＡ手順の起動契機に応答して実行されたＲＡ手順の失敗でなく、ユーザ装置による誤検出に応答して実行されたＲＡ手順の失敗に対して、不要なセカンダリセルの削除を実行することを回避できる。
【００２７】
図７を参照して、本発明の一実施例による無線通信システムを説明する。図７は、本発明の一実施例による無線通信システムを示す概略図である。
【００２８】
図７に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するデュアルコネクティビティをサポートし、図示されるように、ユーザ装置１００は、デュアルコネクティビティ機能を利用して、マスタ基地局（ＭｅＮＢ）２００Ａとセカンダリ基地局（ＳｅＮＢ）２００Ｂとの間で通信する。図示された実施例では、２つの基地局２００Ａ，２００Ｂしか示されていないが、一般には、無線通信システム１００のサービスエリアをカバーするよう多数の基地局２００が配置される。
【００２９】
ユーザ装置１００は、複数の基地局２００Ａ，２００Ｂと同時通信するデュアルコネクティビティ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００３０】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。デュアルコネクティビティでは、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。
【００３１】
次に、図８を参照して、本発明の一実施例によるユーザ装置の構成を説明する。図８は、本発明の一実施例によるユーザ装置の構成を示すブロック図である。
【００３２】
図８に示されるように、ユーザ装置１００は、送受信部１１０、ランダムアクセス（ＲＡ）処理部１２０及び無線リンク障害（ＲＬＦ）通知部１３０を有する。
【００３３】
送受信部１１０は、デュアルコネクティビティによりマスタ基地局２００Ａとセカンダリ基地局２００Ｂと同時に通信する。具体的には、送受信部１１０は、マスタ基地局２００Ａ及びセカンダリ基地局２００Ｂとの間でアップリンク／ダウンリンク制御チャネルやアップリンク／ダウンリンクデータチャネルなどの各種無線チャネルを送受信する。
【００３４】
ＲＡ処理部１２０は、所定の起動契機の検出に応答して、セカンダリ基地局２００Ｂに対するランダムアクセス（ＲＡ）手順を衝突型ＲＡ手順と非衝突型ＲＡ手順との何れかに従って実行する。当該所定の起動契機として、例えば、イニシャルアクセス、アップリンク／ダウンリンクデータの再開、ハンドオーバ、セカンダリセルにおけるタイミングアライメントなどがあげられる。これらの起動契機の何れかを検出すると、ＲＡ処理部１２０は、衝突型ＲＡ手順と非衝突型ＲＡ手順との何れかに従ってＲＡ手順を実行する。典型的には、衝突型ＲＡ手順はユーザ装置１００によって自律的に起動されるＲＡ手順であり、非衝突型ＲＡ手順は基地局２００の指示により起動されるＲＡ手順である。
【００３５】
一実施例では、ＲＡ処理部１２０は、検出された起動契機に応じて衝突型ＲＡ手順と非衝突型ＲＡ手順との何れかを選択してもよい。例えば、ＲＡ処理部１２０は、イニシャルアクセスやアップリンクデータの再開の起動契機に対して衝突型ＲＡ手順を利用してもよい。他方、ＲＡ処理部１２０は、ダウンリンクデータの再開やハンドオーバの起動契機に対して非衝突型ＲＡ手順を利用してもよい。
【００３６】
ＲＬＦ通知部１３０は、ＲＡ手順が失敗すると、当該ＲＡ手順の種別又は検出された起動契機に基づき無線リンク障害（ＲＬＦ）を通知するＲＬＦメッセージを生成し、生成したＲＬＦメッセージをマスタ基地局２００Ａに通知する。
【００３７】
一実施例では、ＲＬＦ通知部１３０は、失敗したＲＡ手順が衝突型ＲＡ手順と非衝突型ＲＡ手順との何れに従って実行されたかを示す失敗種別情報を含むＲＬＦメッセージを生成し、生成したＲＬＦメッセージをマスタ基地局２００Ａに通知してもよい。例えば、ＲＡ処理部１２０がＲＡ手順においてセカンダリ基地局２００Ｂに所定の最大再送回数ＲＡプリアンブルを送信したが、ＲＡレスポンスを受信できなかった場合など、セカンダリ基地局２００Ｂとの間のＲＡ手順に失敗した場合、ＲＬＦ通知部１３０は、当該ＲＡ手順が衝突型ＲＡ手順又は非衝突型ＲＡ手順の何れの種別により実行されたかを示す失敗種別情報を含むＲＬＦメッセージをマスタ基地局２００Ａに通知する。当該ＲＬＦメッセージを受信すると、マスタ基地局２００Ａは受信したＲＬＦメッセージをセカンダリ基地局２００Ｂ及びセカンダリ基地局２００Ｂに送信する。これにより、セカンダリ基地局２００Ｂは、ユーザ装置１００が当該セカンダリ基地局２００Ｂに対してＲＡ手順を実行していたことを認識すると共に、失敗種別情報に基づきユーザ装置１００がＰＤＣＣＨ指示の誤検出により当該ＲＡ手順を起動したか否か判断することができる。すなわち、セカンダリ基地局２００ＢがＰＤＣＣＨによりＲＡ手順の起動を指示していないにもかかわらず、受信した失敗種別情報が非衝突型ＲＡ（ＣＦＲＡ）手順を示す場合、セカンダリ基地局２００Ｂは、ユーザ装置１００がＰＤＣＣＨ指示（ＰＤＣＣＨ  ｏｒｄｅｒ）を誤検出したと判断することができる。この場合、マスタ基地局２００Ａ及びセカンダリ基地局２００Ｂは、セカンダリセルの不要な削除を実行することなく、ユーザ装置１００に対するデュアルコネクティビティを維持する。この結果、不要にデュアルコネクティビティを解除することが回避でき、デュアルコネクティビティによるスループットの向上を維持することが可能である。
【００３８】
一実施例では、ＲＬＦ通知部１３０は、誤検出された非衝突型ＲＡ手順の起動指示におけるＲＡリソースやＲＡプリアンブルインデックスを更に含むＲＬＦメッセージを生成し、生成したＲＬＦメッセージをマスタ基地局２００Ａに送信してもよい。
【００３９】
他の実施例では、ＲＬＦ通知部１３０は、失敗したＲＡ手順の種別が衝突型ＲＡ（ＣＢＲＡ）手順である場合にＲＬＦメッセージを生成し、生成したＲＬＦメッセージをマスタ基地局２００Ａに通知してもよい。換言すると、ＲＡ手順が非衝突型ＲＡ（ＣＦＲＡ）手順により失敗した場合、ＲＬＦ通知部１３０は、当該ＲＡ手順の失敗に応答してＲＬＦメッセージを生成せず、ＲＬＦの通知を保留する。非衝突型ＲＡ手順は、セカンダリ基地局２００Ｂにより起動されるものであり、セカンダリ基地局２００Ｂは、ＲＡ手順が実行中であることを認識しており、ユーザ装置１００からＲＬＦを受信することなくＲＡ手順に異常があったことを検出可能である。例えば、セカンダリ基地局２００Ｂは、非衝突型ＲＡ手順の起動指示をユーザ装置１００に送信した後、ユーザ装置１００からのＲＡプリアンブルの受信を監視する。無線品質の劣化により所定の期間内にユーザ装置１００からＲＡプリアンブルを受信できなかった場合、セカンダリ基地局２００Ｂは、ユーザ装置１００からＲＬＦメッセージを受信することなく、無線リンク障害を検出可能である。
【００４０】
本実施例によると、マスタ基地局２００Ａ及びセカンダリ基地局２００Ｂは、ユーザ装置１００からＲＬＦメッセージを受信した場合、当該ＲＬＦメッセージはユーザ装置１００による誤検出に起因したものでなく、ユーザ装置１００により起動された衝突型ＲＡ手順によるＲＡ手順の失敗に起因するものであると判断することができる。従って、マスタ基地局２００Ａ及びセカンダリ基地局２００Ｂは、上述したような失敗種別情報を新たに付加することなく、当該セカンダリセルに対する削除処理及び／又は新たなセカンダリセルの再設定処理が必要であると判断し、当該削除処理及び／又は再設定処理を実行する。
【００４１】
更なる他の実施例では、ＲＬＦ通知部１３０は、失敗したＲＡ手順がセカンダリ基地局２００Ｂからのダウンリンク制御チャネルによる指示に応答して実行されていない場合にＲＬＦメッセージを生成し、生成したＲＬＦメッセージを前記マスタ基地局に通知してもよい。換言すると、ＲＬＦ通知部１３０は、失敗したＲＡ手順がセカンダリ基地局２００Ｂからのダウンリンク制御チャネルによる指示に応答して実行されたと判断した場合、ＲＬＦメッセージを生成せず、ＲＬＦの通知を保留する。すなわち、当該ＲＡ手順が衝突型ＲＡ手順と非衝突型ＲＡ手順の何れによって失敗したかにかかわらず、セカンダリ基地局２００Ａからのダウンリンク制御チャネルによる指示（ＰＤＣＣＨ  ｏｒｄｅｒ）に応答して実行されたと判断した場合、ＲＬＦ通知部１３０は、当該失敗したＲＡ手順に対するＲＬＦメッセージをマスタ基地局２００Ａに通知せずに保留してもよい。これは、ダウンリンク制御チャネルによる指示により起動されたＲＡ手順は、ユーザ装置１００による誤検出に起因して実行された可能性があるためである。また、ＲＬＦが通知されなかった場合でも、セカンダリ基地局２００Ｂは、所定の期間内にユーザ装置１００からＲＡプリアンブルを受信できなかった場合、ユーザ装置１００からＲＬＦを受信することなく、無線リンク障害を検出可能である。なお、本発明は、ダウンリンク制御チャネルによる指示に限定されるものでなく、基地局２００がユーザ装置１００との間の通信について異常を検出可能な任意のＲＡ手順の起動契機に適用されてもよい。
【００４２】
本実施例によると、マスタ基地局２００Ａ及びセカンダリ基地局２００Ｂは、ユーザ装置１００からＲＬＦメッセージを受信した場合、当該ＲＬＦメッセージはユーザ装置１００によるＰＤＣＣＨ指示の誤検出に起因したものでないと判断することができる。従って、マスタ基地局２００Ａ及びセカンダリ基地局２００Ｂは、上述したような失敗種別情報を新たに付加することなく、当該セカンダリセルに対する削除処理及び／又は新たなセカンダリセルの再設定処理が必要であると判断し、当該削除処理及び／又は再設定処理を実行する。
【００４３】
一実施例では、ＲＬＦを通知する場合、ＲＬＦ通知部１３０は、ユーザ装置１００により検出されたＲＡリソースやＲＡプリアンブルインデックスを含むＲＬＦメッセージを生成し、生成したＲＬＦメッセージをマスタ基地局２００Ａに送信してもよい。
【００４４】
次に、図９〜１１を参照して、本発明の一実施例による基地局を説明する。図９は、本発明の一実施例による基地局の構成を示すブロック図である。
【００４５】
図９に示されるように、基地局２００は、送受信部２１０及びセル管理部２２０を有する。
【００４６】
送受信部２１０は、デュアルコネクティビティによりユーザ装置１００と通信する。具体的には、送受信部２１０は、ユーザ装置１００との間でアップリンク／ダウンリンク制御チャネルやアップリンク／ダウンリンクデータチャネルなどの各種無線チャネルを送受信する。
【００４７】
セル管理部２２０は、ユーザ装置１００から受信した無線リンク障害（ＲＬＦ）メッセージから失敗したランダムアクセス（ＲＡ）手順の種別を示す失敗種別情報を抽出し、抽出したＲＡ手順の失敗種別情報に基づきセカンダリセルに対する処理を実行し、抽出した失敗種別情報が衝突型ＲＡ（ＣＢＲＡ）手順を示す場合、セカンダリセルに対する削除処理を実行する。換言すると、セル管理部２２０は、ＲＬＦメッセージを受信したとしても、受信したＲＬＦメッセージの失敗種別情報が非衝突型ＲＡ（ＣＦＲＡ）手順を示す場合、ユーザ装置１００による当該非衝突型ＲＡ手順の起動指示の誤検出に起因したデュアルコネクティビティの解消を回避するため、セカンダリセルに対する削除処理を実行することなく、デュアルコネクティビティを維持する。
【００４８】
図１０の左側の図に示されるように、無線品質の劣化などの通常のＲＡ手順の失敗の場合、セカンダリ基地局２００Ｂは、ＲＡ手順を指示するＰＤＣＣＨ指示の送信後、ユーザ装置１００からＲＡプリアンブルを受信することを待機する。しかしながら、無線品質の劣化により、ユーザ装置１００がＲＡプリアンブルを送信しても、セカンダリ基地局２００Ｂはこれらを受信することができない。この場合、セカンダリ基地局２００Ｂは、マスタ基地局２００Ａを介しユーザ装置１００から送信されたＲＬＦメッセージを受信することによって、あるいは、所定の期間ＲＡプリアンブルを受信できなかったことによって、無線リンク障害の発生を検出することが可能である。その後、セカンダリ基地局２００Ｂは、当該セカンダリセルグループの削除処理を開始する。
【００４９】
他方、図１０の右側の図に示されるように、ユーザ装置１００がＲＡ手順を指示するＰＤＣＣＨ指示を誤検出した場合、ユーザ装置１００がＲＡプリアンブルを送信しても、セカンダリ基地局２００Ｂは、ＲＡ手順を指示するＰＤＣＣＨ指示をしておらず、ＲＡプリアンブルの受信の準備をしていないため、ユーザ装置１００から送信されたＲＡプリアンブルを受信しない。ＲＡプリアンブルが所定の最大再送回数再送されると、ユーザ装置１００は、非衝突型ＲＡ手順を示す失敗種別情報を含むＲＬＦメッセージをマスタ基地局２００Ａ及びセカンダリ基地局２００Ｂに送信する。当該ＲＬＦメッセージを受信すると、セカンダリ基地局２００Ｂのセル管理部２２０は、起動指示していない非衝突型ＲＡ手順によるＲＬＦであるため、ユーザ装置１００が当該起動指示を誤検出したと判断し、セカンダリセルの不要な削除を実行することなくデュアルコネクティビティを維持する。
【００５０】
上述した他の実施例では、非衝突型ＲＡ手順によるＲＡ手順が失敗した場合、又はセカンダリ基地局２００Ｂからのダウンリンク制御チャネルによる指示に応答して実行されたＲＡ手順が失敗した場合、ユーザ装置１００は、ＲＬＦメッセージの送信を保留してもよい。この場合、図１１の左側の図に示されるように、無線品質の劣化などの通常のＲＡ手順の失敗の場合、セカンダリ基地局２００Ｂは、ＲＡ手順を指示するＰＤＣＣＨ指示の送信後、ユーザ装置１００からＲＡプリアンブルを受信することを待機する。しかしながら、無線品質の劣化により、ユーザ装置１００がＲＡプリアンブルを送信しても、セカンダリ基地局２００Ｂはこれらを受信することができない。また、非衝突型ＲＡ手順によるＲＡ手順の失敗又はダウンリンク制御チャネルによる指示に応答して実行されたＲＡ手順の失敗に対して、ユーザ装置１００はＲＬＦメッセージを送信しない。このため、セカンダリ基地局２００Ｂは、マスタ基地局２００Ａを介しユーザ装置１００から送信されたＲＬＦメッセージを受信することによって無線リンク障害の発生を検出することはできず、所定の期間ＲＡプリアンブルを受信できなかったことによって無線リンク障害の発生を検出する。その後、セカンダリ基地局２００Ｂは、当該セカンダリセルグループの削除処理を開始する。
【００５１】
他方、図１１の右側の図に示されるように、ユーザ装置１００がＲＡ手順を指示するＰＤＣＣＨ指示を誤検出した場合、ユーザ装置１００がＲＡプリアンブルを送信しても、セカンダリ基地局２００Ｂは、ＲＡ手順を指示するＰＤＣＣＨ指示をしておらず、ＲＡプリアンブルの受信の準備をしていないため、ユーザ装置１００から送信されたＲＡプリアンブルを受信しない。ＲＡプリアンブルが所定の最大再送回数再送されると、ユーザ装置１００は、無線リンク障害（ＲＬＦ）を通知することなく、ＲＡプリアンブルの再送を終了する。セカンダリ基地局２００Ｂのセル管理部２２０は、ユーザ装置１００による非衝突型ＲＡ手順の起動を指示していないため、セカンダリセルの不要な削除を実行することなくデュアルコネクティビティを維持する。
【００５２】
次に、図１２〜１４を参照して、本発明の一実施例によるユーザ装置における無線リンク障害報告処理を説明する。図１２は、本発明の一実施例による無線リンク障害報告処理を示すフロー図である。
【００５３】
図１２に示されるように、当該無線リンク障害報告処理は、ＲＡ手順の所定の起動契機の検出に応答して開始される。
【００５４】
ステップＳ１０１において、ＲＡ処理部１２０は、セカンダリ基地局２００Ｂに対するＲＡ手順を衝突型ＲＡ手順又は非衝突型ＲＡ手順の何れかに従って実行する。一実施例では、ＲＡ処理部１２０は、検出された起動契機に応じて衝突型ＲＡ手順と非衝突型ＲＡ手順との何れかを選択してもよい。例えば、ＲＡ処理部１２０は、イニシャルアクセスやアップリンクデータの再開の起動契機に対して、ユーザ装置１００から起動される衝突型ＲＡ手順を利用してもよい。他方、ＲＡ処理部１２０は、ダウンリンクデータの再開やハンドオーバの起動契機に対して、セカンダリ基地局２００Ｂから起動される非衝突型ＲＡ手順を利用してもよい。
【００５５】
ステップＳ１０２において、ＲＡ処理部１２０が、所定の再送回数ＲＡプリアンブルを再送したが、セカンダリ基地局２００ＢからＲＡレスポンスを受信できなかったなど、ＲＡ手順に失敗すると、ＲＬＦ通知部１３０は、当該ＲＡ手順が衝突型ＲＡ手順と非衝突型ＲＡ手順との何れに従って実行されたか判定する。
【００５６】
ＲＡ手順が衝突型ＲＡ手順であった場合（Ｓ１０２：ＹＥＳ）、ＲＬＦ通知部１３０は、ステップＳ１０３において、衝突型ＲＡ手順を示す失敗種別情報を含む無線リンク障害（ＲＬＦ）をマスタ基地局２００Ａ及びセカンダリ基地局２００Ｂに通知する。当該ＲＬＦメッセージを受信すると、マスタ基地局２００Ａ及びセカンダリ基地局２００Ｂは、当該セカンダリセルに対する削除処理及び／又は新たなセカンダリセルの再設定処理を実行する。
【００５７】
他方、ＲＡ手順が非衝突型ＲＡ手順であった場合（Ｓ１０２：ＮＯ）、ＲＬＦ通知部１３０は、ステップＳ１０４において、非衝突型ＲＡ手順を示す失敗種別情報を含むＲＬＦメッセージをマスタ基地局２００Ａ及びセカンダリ基地局２００Ｂに通知する。当該ＲＬＦメッセージを受信すると、マスタ基地局２００Ａ及びセカンダリ基地局２００Ｂは、当該ＲＬＦメッセージがユーザ装置１００による誤検出に応答して実行された可能性があると判断し、当該セカンダリセルに対する削除処理を保留する。
【００５８】
本実施例によると、無線品質の劣化などの所定のＲＡ手順の起動契機でなく、ユーザ装置１００による誤検出に応答して実行されたＲＡ手順の失敗に対して、失敗種別情報を含む無線リンク障害を通知することによって、不要なセカンダリセルの削除を実行することを回避できる。
【００５９】
図１３は、本発明の他の実施例による無線リンク障害報告処理を示すフロー図である。図１３に示されるように、当該無線リンク障害報告処理は、ＲＡ手順の所定の起動契機の検出に応答して開始される。
【００６０】
ステップＳ２０１において、ＲＡ処理部１２０は、セカンダリ基地局２００Ｂに対するＲＡ手順を衝突型ＲＡ手順又は非衝突型ＲＡ手順の何れかに従って実行する。一実施例では、ＲＡ処理部１２０は、検出された起動契機に応じて衝突型ＲＡ手順と非衝突型ＲＡ手順との何れかを選択してもよい。例えば、ＲＡ処理部１２０は、イニシャルアクセスやアップリンクデータの再開の起動契機に対して、ユーザ装置１００から起動される衝突型ＲＡ手順を利用してもよい。他方、ＲＡ処理部１２０は、ダウンリンクデータの再開やハンドオーバの起動契機に対して、セカンダリ基地局２００Ｂから起動される非衝突型ＲＡ手順を利用してもよい。
【００６１】
ステップＳ２０２において、ＲＡ処理部１２０が、所定の再送回数ＲＡプリアンブルを再送したが、セカンダリ基地局２００ＢからＲＡレスポンスを受信できなかったなど、ＲＡ手順に失敗すると、ＲＬＦ通知部１３０は、当該ＲＡ手順が衝突型ＲＡ手順と非衝突型ＲＡ手順との何れに従って実行されたか判定する。
【００６２】
ＲＡ手順が衝突型ＲＡ手順であった場合（Ｓ２０２：ＹＥＳ）、ＲＬＦ通知部１３０は、ステップＳ２０３において、無線リンク障害（ＲＬＦ）メッセージを生成し、生成したＲＬＦメッセージをマスタ基地局２００Ａ及びセカンダリ基地局２００Ｂに通知する。当該ＲＬＦメッセージを受信すると、マスタ基地局２００Ａ及びセカンダリ基地局２００Ｂは、当該セカンダリセルに対する削除処理及び／又は新たなセカンダリセルの再設定処理を実行する。
【００６３】
他方、ＲＡ手順が非衝突型ＲＡ手順であった場合（Ｓ２０２：ＮＯ）、ＲＬＦ通知部１３０は、ＲＬＦを通知することなく、当該処理を終了する。この場合、マスタ基地局２００Ａ及びセカンダリ基地局２００Ｂは、ＲＬＦメッセージを受信しないため、ユーザ装置１００によりＲＡ手順が失敗したことを認識することなく、デュアルコネクティビティを維持する。
【００６４】
本実施例によると、無線品質の劣化などの所定のＲＡ手順の起動契機でなく、ユーザ装置１００による誤検出に応答して実行されたＲＡ手順の失敗に対して、衝突型ＲＡ手順によるＲＡ手順が失敗した場合に限って無線リンク障害を通知することによって、上述した失敗種別情報を付加する必要なく、より簡便に不要なセカンダリセルの削除を実行することを回避できる。
【００６５】
図１４は、本発明の他の実施例による無線リンク障害報告処理を示すフロー図である。図１４に示されるように、当該無線リンク障害報告処理は、ＲＡ手順の所定の起動契機の検出に応答して開始される。
【００６６】
ステップＳ３０１において、ＲＡ処理部１２０は、セカンダリ基地局２００Ｂに対するＲＡ手順を衝突型ＲＡ手順又は非衝突型ＲＡ手順の何れかに従って実行する。一実施例では、ＲＡ処理部１２０は、検出された起動契機に応じて衝突型ＲＡ手順と非衝突型ＲＡ手順との何れかを選択してもよい。例えば、ＲＡ処理部１２０は、イニシャルアクセスやアップリンクデータの再開の起動契機に対して、ユーザ装置１００から起動される衝突型ＲＡ手順を利用してもよい。他方、ＲＡ処理部１２０は、ダウンリンクデータの再開やハンドオーバの起動契機に対して、セカンダリ基地局２００Ｂから起動される非衝突型ＲＡ手順を利用してもよい。
【００６７】
ステップＳ３０２において、ＲＡ処理部１２０が、所定の再送回数ＲＡプリアンブルを再送したが、セカンダリ基地局２００ＢからＲＡレスポンスを受信できなかったなど、ＲＡ手順に失敗すると、ＲＬＦ通知部１３０は、当該ＲＡ手順がＰＤＣＣＨによる指示に起因して実行されたか判定する。
【００６８】
ＲＡ手順がＰＤＣＣＨによる指示に起因して実行されていない場合（Ｓ３０２：ＮＯ）、ＲＬＦ通知部１３０は、無線リンク障害（ＲＬＦ）メッセージを生成し、生成したＲＬＦメッセージをマスタ基地局２００Ａ及びセカンダリ基地局２００Ｂに通知する。当該ＲＬＦメッセージを受信すると、マスタ基地局２００Ａ及びセカンダリ基地局２００Ｂは、当該セカンダリセルに対する削除処理及び／又は新たなセカンダリセルの再設定処理を実行する。
【００６９】
他方、ＲＡ手順がＰＤＣＣＨによる指示に起因して実行された場合（Ｓ３０２：ＹＥＳ）、ＲＬＦ通知部１３０は、ＲＬＦを通知することなく、当該処理を終了する。この場合、マスタ基地局２００Ａ及びセカンダリ基地局２００Ｂは、ＲＬＦメッセージを受信しないためユーザ装置１００によりＲＡ手順が失敗したことを認識することなく、デュアルコネクティビティを維持する。
【００７０】
本実施例によると、無線品質の劣化などの所定のＲＡ手順の起動契機でなく、ユーザ装置１００による誤検出に応答して実行されたＲＡ手順の失敗に対して、失敗したＲＡ手順の種別に関係なく無線リンク障害を通知することによって、上述した失敗種別情報を付加する必要なく、より簡便に不要なセカンダリセルの削除を実行することを回避できる。
【００７１】
また、上述した実施例の２つ以上が組み合わされてもよく、例えば、ＲＡ手順の種別と検出された起動契機との双方に基づきＲＬＦを通知するようにしてもよい。
【００７２】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７３】
１０  無線通信システム
１００  ユーザ装置
１１０  送受信部
１２０  ランダムアクセス（ＲＡ）処理部
１３０  無線リンク障害（ＲＬＦ）通知部
２００Ａ  マスタ基地局
２００Ｂ  セカンダリ基地局
２１０  送受信部
２２０  セル管理部
【図１】
2015216412.tif 000003
【図２】
2015216412.tif 000004
【図３】
2015216412.tif 000005
【図４】
2015216412.tif 000006
【図５】
2015216412.tif 000007
【図６】
2015216412.tif 000008
【図７】
2015216412.tif 000009
【図８】
2015216412.tif 000010
【図９】
2015216412.tif 000011
【図１０】
2015216412.tif 000012
【図１１】
2015216412.tif 000013
【図１２】
2015216412.tif 000014
【図１３】
2015216412.tif 000015
【図１４】
2015216412.tif 000016